(57)【要約】【課題】本発明は、使用後にキャップ装着状態で保管したとしても、ペン先にカビが発生することを抑えることができ、さらには、携帯時にペン先側から滴下した水が外部に漏出することを防止できる水変色体用水付着具及び水変色体セットを提供する。【解決手段】本体２の前端に多孔質体または毛筆体よりなるペン先３を備える。本体２のペン先側外面にキャップ６が着脱自在に設けられる。キャップ６が、キャップ６内部と外気とを連通させるペン先乾燥促進用の通気孔６１を備える。キャップ６の通気孔６１の内面または通気孔６１近傍の内面に、ペン先側より滴下する水が外部に漏出すること阻止する漏出阻止部が設けられる。漏出阻止部が、通気孔６１を包囲するようにキャップ６の内面に突出形成された突出壁部６２よりなる。【選択図】  図１
2019230623.tif 000002
【特許請求の範囲】
【請求項１】
本体の前端に多孔質体または毛筆体よりなる水吐出部を備えた水変色体用水付着具であって、前記本体の水吐出部側外面にキャップが着脱自在に設けられ、前記キャップが、前記キャップ内部と外気とを連通させる水吐出部乾燥促進用の通気孔を備えることを特徴とする水変色体用水付着具。
【請求項２】
前記キャップの通気孔の内面または通気孔近傍の内面に、水吐出部側より滴下する水が外部に漏出することを阻止する漏出阻止部が設けられる請求項１に記載の水変色体用水付着具。
【請求項３】
前記漏出阻止部が、前記通気孔を包囲するように前記キャップの内面に突出形成された突出壁部よりなる請求項２に記載の水変色体用水付着具。
【請求項４】
前記漏出阻止部が、前記通気孔を包囲または塞ぐように前記キャップの内面に配置された吸液部材よりなる請求項２に記載の水変色体用水付着具。
【請求項５】
前記漏出阻止部が、前記通気孔を包囲するように前記キャップの内面に突出形成された突出壁部と、前記突出壁部を包囲または前記通気孔を塞ぐように前記キャップの内面に配置された吸液部材とからなる請求項２に記載の水変色体用水付着具。
【請求項６】
前記漏出阻止部が、前記キャップの通気孔の内面または通気孔近傍の内面に一体に形成される毛細管力を有する間隙部よりなる請求項２に記載の水変色体用水付着具。
【請求項７】
前記本体内部に水が収容可能に構成され、前記水吐出部より前記本体内部の水が吐出可能に構成され、前記本体の水吐出部側に、水吐出部からの水の吐出に応じて本体内部に空気を取り込むための空気導入孔が形成され、前記キャップを前記本体の水吐出部側に装着した状態において、前記空気導入孔の軸方向の仮想延長線上に前記通気孔が存在しない請求項１乃至６の何れか一つに記載の水変色体用水付着具。
【請求項８】
前記請求項1乃至７の何れかの水変色体用水付着具と、前記水変色体用水付着具の水吐出部が接触することにより水が付着した上層の箇所のみが透明化して下層の着色層の色が現出され、水分蒸発により元の状態に戻る水変色体とからなる水変色体セット。
【発明の詳細な説明】
【技術分野】
【０００１】
本開示は、水変色体用水付着具及び水変色体セットに関する。詳細には、水変色体（即ち、水が付着した上層の箇所のみが透明化し、下層の基材の着色層の色が現出し、水分蒸発により元の状態に戻る性質を有するもの、例えば水筆紙、水変色シート等）に用いる水付着具及び水変色体セットに関する。
【背景技術】
【０００２】
従来、実開昭５４−４８７３７（特許文献１）には、内部に水が収容可能であり、一端に筆の穂が取付けられた、キャップを備えた携帯用毛筆が開示されている。  また、特開２００８−１４９５９３（特許文献２）には、一対の側壁部が見開き状態に開閉可能なバッグであって、前記側壁部の少なくとも一方に、低屈折率顔料をバインダー樹脂に分散状態に固着させた、吸液状態と非吸液状態で透明性を異にする多孔質層を設けてなる水変色性描画用バッグ、及び該水変色性描画用バッグと水付着手段とからなる水変色性描画用バッグセットが開示されている。
【先行技術文献】
【特許文献】
【０００３】
本明細書が引用する特許文献１は、実開昭５４−４８７３７であり、本明細書が引用する特許文献２は、特開２００８−１４９５９３である。
【発明の概要】
【発明が解決しようとする課題】
【０００４】
実開昭５４−４８７３７（特許文献１）の携帯用毛筆は、使用後に水吐出部側にキャップを装着した状態で保管すると、水を含浸する筆の穂にカビが発生するおそれがある。また、特開２００８−１４９５９３（特許文献２）の水変色性描画用バッグセットは、携帯時に水付着手段に大きな振動や衝撃が加わった場合、水付着手段のペン先側から水が外部に漏出するおそれがある。【０００５】
本開示は、使用後にキャップ装着状態で保管したとしても、水吐出部にカビが発生することを抑えることができ、さらには、携帯時に水吐出部側から滴下した水が外部に漏出することを防止できうる水変色体用水付着具、及び水変色体セットを提供しようとするものである。【０００６】
尚、本開示で、「前」とは、本体において水吐出部側（ペン先側）、キャップにおいて閉鎖側（頂壁側）を指し、「後」とは、その反対側を指す。
【課題を解決するための手段】
【０００７】
本開示は、本体２の前端に多孔質体または毛筆体よりなる水吐出部３を備えた水変色体用水付着具であって、前記本体２の水吐出部側外面にキャップ６が着脱自在に設けられ、前記キャップ６が、前記キャップ６内部と外気とを連通させる水吐出部乾燥促進用の通気孔６１を備えることを要件とする。【０００８】
本開示の水変色体用水付着具１は、本体２の水吐出部側外面にキャップ６が着脱自在に設けられ、キャップ６が、キャップ６内部と外気とを連通させる水吐出部乾燥促進用の通気孔６１を備えることにより、使用後にキャップ６を水吐出部側に装着した状態で保管したとしても、通気孔６１を介してキャップ６内部と外気とが連通されるため、水吐出部３の水分が蒸発して水吐出部３が乾燥状態に維持され、その結果、水吐出部３にカビが発生することを防止し、水吐出部３の良好な衛生状態が維持できうる。
【発明の効果】
【０００９】
本開示の水変色体用水付着具は、使用後にキャップ装着状態で保管したとしても、水吐出部にカビが発生することを抑え、水吐出部の良好な衛生状態が維持できるという効果を奏しうる。
本開示の水変色体セットは、使用後にキャップ装着状態で水変色体用水付着具を保管したとしても、水吐出部にカビが発生することを抑え、水吐出部の良好な衛生状態を維持できるという効果を奏しうる。
【図面の簡単な説明】
【００１０】
【図１】本開示の第１の実施の形態の水変色体用水付着具の縦断面図である。
【図２】図１のＡ−Ａ線断面図である。
【図３】図１のＢ−Ｂ線断面図である。
【図４】図１のＣ−Ｃ線断面図である。
【図５】図１の本体の分解縦断面図である。
【図６】図１のキャップの縦断面図である。
【図７】本開示の第２の実施の形態の水変色体用水付着具の縦断面図である。
【図８】図７のキャップの縦断面図である。
【図９】本開示の第３の実施の形態の水変色体用水付着具の縦断面図である。
【図１０】図９のキャップの縦断面図である。
【図１１】本開示の第４の実施の形態の水変色体用水付着具の縦断面図である。
【図１２】図１１のＤ−Ｄ線断面図である。
【図１３】図１１のキャップの縦断面図である。
【図１４】本開示の第５の実施の形態の水変色体用水付着具の縦断面図である。
【図１５】本開示の水変色体セットの使用時を示す外観図である。
【図１６】図１５の水変色体セットの携帯時を示す外観図である。
【発明を実施するための形態】
【００１１】
＜第１の実施の形態＞
本開示の第１の実施の形態を図１乃至図６に示す。
本実施の形態の水変色体用水付着具１は、ペン先３（水吐出部）と、該ペン先３が固着されたホルダー４と、該ホルダー４が着脱自在の容器５とを備えた本体２と、該本体２のペン先側に着脱自在に装着されるキャップ６とからなる。
【００１２】
・ペン先
ペン先３は、合成樹脂繊維束の棒状の樹脂加工体（例えば、ポリエステル繊維またはポリアミド繊維の樹脂加工体）である。ペン先３は、筆記先端部として丸み形状を有する。また、ペン先３は、毛筆体（例えば、繊維の収束体）であってもよい。
【００１３】
・容器
容器５は、先端に注入孔５１が開口され且つ後端が閉塞された有底筒体である。容器５は、合成樹脂（例えばポリプロピレン樹脂）のブロー成形により得られる。容器５の前端部には、縮径部５２が形成されるとともに、縮径部５２とその後方の容器５外面部との境目には肩部５４が形成される。容器５の縮径部５２外面には、雄ネジ部５３が形成される。容器５内には、水１２が直接収容される。
【００１４】
・ホルダー
ホルダー４は、前方の小径部と後方の大径部からなる外筒４１と、該外筒４１内面に前端外面が圧入または接着により固着される内筒４２とからなる。外筒４１及び内筒４２は、合成樹脂（例えばポリプロピレン樹脂、ＡＢＳ樹脂等）の射出成形により得られる。外筒４１の大径部内面には、容器５の前端外周面の雄ネジ部５３と螺合可能な雌ネジ部４１ａが形成される。外筒４１の大径部内面の雌ネジ部４１ａの前方には環状段部４１ｂが形成される。内筒４２は、その後端に底部を備えた有底筒体であり、後部が外筒４１後端より後方に突出されている。
【００１５】
ホルダー４を容器５の注入孔５１に装着すると、外筒４１の内面の雌ネジ部４１ａが容器５の縮径部５２外面の雌ネジ部４１ａに螺着され、且つ、外筒４１の後端が容器５の肩部５４と当接される。それと同時に、内筒４２が、注入孔５１より容器５内部に遊挿されるとともに、外筒４１の内面の環状段部４１ｂと注入孔５１の開口端部とが環状に密接され、それにより水の外部への漏出が防止される。また、水を容器５内に補給（注入）する際、または水を容器５内から排出する際、ホルダー４を容器５から取り外すことにより、内筒４２の環状段部４１ｂと注入孔５１の開口端部との密接状態が解除される。
【００１６】
ホルダー４の内筒４２の内面には、軸方向のリブ４２ａが複数本（例えば６本）、等間隔に配設される。リブ４２ａによってペン先３外面が圧入保持され、それにより、ペン先３の径方向のぐらつきが抑えられ、安定した筆記が可能となる。さらに、リブ４２ａによってペン先３外面が圧入保持されることにより、隣接するリブ４２ａ相互間のペン先３外面と内筒４２内面との間に、毛細管力を有する軸方向の隙間が形成される。この隙間は、容器５内の圧力上昇により溢出された水を一時的に保持し、水の過剰流出を防止する。
【００１７】
内筒４２は縮径された後端部を有し、内筒４２の後端部の側壁には複数（例えば３個）の連通孔４２ｂが開口される。連通孔４２ｂを介して容器５内と内筒４２内（即ちペン先３の後端部及び軸方向の隙間）とが連通される。内筒４２の後端部より僅かに前方の内面には、内筒４２の後端部側壁と連設するストッパ用リブ４２ｃが設けられる。ストッパ用リブ４２ｃとペン先３後端部とが当接している。
【００１８】
外筒４１の小径部の前端には前端孔が設けられる。前端孔から外部にペン先３前端が突出される。また、前端孔内面とペン先３の前端部外面との間には空気導入孔２１が形成される。空気導入孔２１は本体２の軸心より径方向に離れた位置に形成される。空気導入孔２１を介して、本体２内の水がペン先３より吐出されることに伴い外部より空気が取り込まれる。
【００１９】
ペン先３の前端部の後方の外面は、その外径が、前端孔の内径より僅かに大きく設定されており、それにより、ペン先３のホルダー４からの脱落が防止される。さらに、ペン先３の前端部の後方の外面は、外筒４１の小径部内面の複数本（例えば６本）の保持リブ４１ｃにより保持され、それにより、ペン先３外面と外筒４１内面との間に空気通路が形成される。
【００２０】
空気導入孔２１は、外筒４１内面とペン先３外面との間の空気通路、ペン先３外面と内筒４２内面との間の軸方向の隙間、及び内筒４２後端部側壁の連通孔４２ｂを介して、容器５内部と連通される。空気導入孔２１は、本体２の軸心（ホルダー４の軸心）より径方向に離れた位置に形成される。
【００２１】
・キャップ
キャップ６は、後端が開口された円筒状の有底筒体であり、合成樹脂（例えばポリプロピレン）の成形体により得られる。キャップ６は、前端に形成された円板状の頂壁と、該頂壁より後方に一体に連設される円筒状の側壁とを備える。キャップ６の頂壁には、軸方向に通気孔６１が貫設される。通気孔６１はキャップ６の頂壁の軸心に形成される。キャップ６の頂壁の内面には、通気孔６１を包囲するように円筒状の突出壁部６２が形成される。突出壁部６２は、キャップ６の頂壁内面より軸方向に後方に突出される。突出壁部６２は、ペン先側から水が滴下しキャップ６内面に水が付着したとしも、その水が通気孔６１から漏出されることを阻止する漏出阻止部となる。通気孔６１の開口部は、例えば、円形状の場合、直径０．５ｍｍ〜５ｍｍの範囲に設定される。突出壁部６２のキャップ６の頂壁内面からの軸方向突出長さは、例えば、１ｍｍ〜２０ｍｍの範囲（好ましくは３ｍｍ〜１５ｍｍの範囲）に設定される。キャップ６は、ペン先３を保護するものであり、ペン先３の汚れや損傷を防ぐ。
【００２２】
また、キャップの内面の形状は、キャップ６を本体２のペン先側の外面（即ちホルダー４の外面）に装着する際にキャップ６の周方向の向きを配慮する必要がない点で、少なくとも円筒状が好ましいが、キャップの外面の形状は、任意の外観形状（例えば、人形、動物、乗物、食品、日用品、架空の生物、キャラクター等を模した玩具形象）にすることができる。
【００２３】
キャップ６を本体２のペン先側の外面（即ちホルダー４の外面）に装着した際、キャップ６内面とホルダー４外面とが環状に密接嵌合される。それにより、キャップ６内面に付着した水が、ホルダー４外面とキャップ６内面との間から外部に漏出することを回避できる。
【００２４】
・使用時
本実施の形態の水変色体用水付着具１は、使用する際、容器５内部に注入孔５１より水を補給した後、ホルダー４を容器５の前端部に取り付け、筆記使用することができる。本実施の形態の水変色体用水付着具１は、使用後は、ホルダー４を容器５の前端部から取り外し、容器５の注入孔５１から水を排出し、ホルダー４を再び容器５に取り付けた後、キャップ６を本体２の外面（ホルダー４の外面）に装着した状態にして保管する。また、本実施の形態の水変色体用水付着具１は、水を容器５内部に収容したままキャップ６を本体２外面（ホルダー４外面）に装着した状態で携帯することができる。
【００２５】
本実施の形態の水変色体用水付着具１は、本体２のペン先側外面にキャップ６が着脱自在に設けられ、キャップ６が、キャップ６内部と外気とを連通させるペン先乾燥促進用の通気孔６１を備えることにより、使用後にキャップ６をペン先側に装着した状態で保管したとしても、通気孔６１を介してキャップ６内部と外気とが連通されるため、ペン先３の水分が蒸発してペン先３が乾燥状態に維持され、その結果、ペン先３にカビが発生することを防止し、ペン先３の良好な衛生状態が維持できる。
【００２６】
本実施の形態の水変色体用水付着具１は、キャップ６の通気孔６１近傍の内面に、ペン先側より滴下する水が外部に漏出することを阻止する漏出阻止部が設けられることにより、もし、キャップ６をペン先側に装着した状態で水付着具を携帯した際に大きな衝撃や振動を受けた場合、キャップ６内部にペン先側より水が滴下し、その滴下した水がキャップ６内面に付着したとしても、漏出阻止部により、前記滴下した水が通気孔６１からキャップ６外部に漏出することを回避でき、さらに、キャップ６内面に付着した水が通気孔６１を介して迅速に蒸発されて消失されるため、キャップ６を本体２から取り外した際にキャップ６内面に付着した水が外部に漏出するおそれがない。
【００２７】
本実施の形態の水変色体用水付着具１は、前記漏出阻止部が、前記通気孔６１を包囲するように前記キャップ６の内面に突出形成された突出壁部６２よりなることにより、ペン先側から滴下した水がキャップ６内面に付着し、キャップ６内面に付着した水がキャップ６内面を通気孔６１の方向に流れたとしても、突出壁部６２が障壁となり、通気孔６１まで水が流出することを阻止でき、通気孔６１からキャップ６外部に水が漏出することを確実に回避できる。
【００２８】
本実施の形態の水変色体用水付着具１は、キャップ６を本体２のペン先側に装着した状態において、空気導入孔２１の軸方向の仮想延長線上に常にキャップ６の頂壁が存在し通気孔６１が存在しないことにより、もし、キャップ６をペン先側に装着した状態で大きな衝撃や振動が加わった場合に、本体２内部の水がペン先側の空気導入孔２１よりキャップ６内部に漏出したとしても、その漏出した水がキャップ６内面に付着し、通気孔６１から直接外部に漏出することを回避できる。
【００２９】
＜第２の実施の形態＞
本開示の第２の実施の形態を図７及び図８に示す。
本実施の形態は、第１の実施の形態にキャップの他の形態を採用したものである。
【００３０】
本実施の形態のキャップ６は、後端が開口された円筒状の有底筒体であり、合成樹脂の成形体により得られる。キャップ６は、前端に形成された円板状の頂壁と、該頂壁より後方に一体に連設される円筒状の側壁とを備える。キャップ６の頂壁には、軸方向に通気孔６１が貫設される。通気孔６１はキャップ６の頂壁の軸心に形成される。キャップ６の頂壁の内面には、吸液部材６３が通気孔６１を覆うように配置される。即ち、吸液部材６３は通気孔６１を塞ぐように且つ通気孔６１を包囲するように配置される。吸液部材６３は、キャップ６の頂壁内面に接触され且つ側壁内面に圧入される。吸液部材６３は、円柱状または円板状の多孔質材料（例えば、繊維加工体、連続気孔発泡体等）からなる。吸液部材６３が、ペン先側から滴下した水が通気孔６１より外部に漏出することを阻止する漏出阻止部となる。
【００３１】
本実施の形態は、漏出阻止部が、通気孔６１を包囲するように且つ通気孔６１を塞ぐようにキャップ６の内面に配置された吸液部材６３からなることにより、ペン先側から滴下した水がキャップ６内面に付着し、キャップ６内面に付着した水がキャップ６内面を通気孔６１の方向に流れたとしても、その水が吸液部材６３で保持され、通気孔６１からキャップ６外部に水が漏出することを確実に回避できる。
【００３２】
尚、本実施の形態における他の構成及び作用効果は第１の実施の形態と共通であるため、説明は省略する。
【００３３】
＜第３の実施の形態＞
本開示の第３の実施の形態を図９及び図１０に示す。
本実施の形態は、第１の実施の形態にキャップの他の形態を採用したものである。
【００３４】
キャップ６は、後端が開口された円筒状の有底筒体であり、合成樹脂の成形体により得られる。キャップ６は、前端に形成された円板状の頂壁と、該頂壁より後方に一体に連設される円筒状の側壁とを備える。キャップ６の頂壁には、軸方向に通気孔６１が貫設される。通気孔６１はキャップ６の頂壁の軸心に形成される。キャップ６の頂壁の内面には、通気孔６１を包囲するように円筒状の突出壁部６２が形成される。突出壁部６２は、キャップ６の頂壁内面より軸方向に後方に突出される。突出壁部６２は、ペン先側から水が滴下しキャップ６内面に水が付着したとしも、その水が通気孔６１から漏出されることを阻止する漏出阻止部となる。
【００３５】
また、キャップ６の頂壁の内面の突出壁部６２の周囲には突出壁部６２を包囲するように吸液部材６３が配置される。吸液部材６３は、環状の多孔質材料（例えば、繊維加工体、連続気孔発泡体等）からなる。吸液部材６３は、キャップ６の頂壁内面に接触され且つ突出壁部６２外面とキャップ６側壁内面との間に圧入される。吸液部材６３は、ペン先側から滴下した水が通気孔６１から漏出されることを阻止する漏出阻止部となる。
【００３６】
本実施の形態は、漏出阻止部が、通気孔６１を包囲するようにキャップ６の内面に突出形成された突出壁部６２と、突出壁部６２を包囲するようにキャップ６の内面に配置された吸液部材６３とからなることにより、ペン先側から滴下した水がキャップ６内面に付着し、キャップ６内面に付着した水がキャップ６内面を通気孔６１の方向に流れたとしても、突出壁部６２が障壁となり、通気孔６１へ水が流出することを阻止でき、且つ、水が吸液部材６３で保持されるため、通気孔６１に水が流出することを阻止でき、通気孔６１からキャップ６外部に水が漏出することを確実に回避できる。
【００３７】
尚、本実施の形態における他の構成及び作用効果は第１の実施の形態と共通であるため、説明は省略する。
【００３８】
＜第４の実施の形態＞
本開示の第４の実施の形態を図１１乃至図１３に示す。
本実施の形態は、第１の実施の形態にキャップの他の形態を採用したものである。
【００３９】
キャップ６は、後端が開口された円筒状の有底筒体であり、合成樹脂の成形体により得られる。キャップ６は、前端に形成された円板状の頂壁と、該頂壁より後方に一体に連設される円筒状の側壁とを備える。キャップ６の頂壁には、軸方向に通気孔６１が貫設される。通気孔６１はキャップ６の頂壁の中央に形成される。通気孔６１は、毛細管力を有する間隙部６４（スリット）により構成される。スリットの間隙寸法は、例えば、０．１ｍｍ〜３ｍｍに設定される。間隙部６４は、ペン先側から水が滴下しキャップ６内面に水が付着し、通気孔６１に流れたとしも、その水を保持し、その水が通気孔６１から漏出されることを阻止する漏出阻止部となる。
【００４０】
本実施の形態は、前記漏出阻止部が、前記キャップ６の通気孔６１の内面または通気孔６１近傍の内面に一体に形成される毛細管力を有する間隙部６４よりなることにより、水吐出部側から滴下した水がキャップ６内面に付着し、キャップ６内面に付着した水がキャップ６内面を通気孔６１の方向に流れたとしても、その水が間隙部６４で保持され、通気孔６１からキャップ６外部に水が漏出することを確実に回避できる。
【００４１】
尚、本実施の形態における他の構成及び作用効果は第１の実施の形態と共通であるため、説明は省略する。
【００４２】
＜第５の実施の形態＞
本開示の第５の実施の形態を図１４に示す。  
【００４３】
本実施の形態の水変色体用水付着具１は、ペン先３（水吐出部）を備えた本体２と、該本体２のペン先側に着脱自在に装着されるキャップ６とからなる。さらに、本体２は、ペン先３と、該ペン先３を保持するペン先保持部材７と、該ペン先保持部材７が前端部に固着される軸筒８と、ペン先３後端と前端が接続され且つ軸筒８内部に収容される水吸収体９と、該水吸収体９の後端と当接し且つ軸筒２の後端部に固着される尾栓１０とからなる。  
【００４４】
軸筒８は、合成樹脂（例えばポリプロピレン等）の射出成形により得られる円筒体であり、軸筒８の前端開口部には、ペン先３がペン先保持部材７を介して圧入固着され、軸筒８の後端開口部には、尾栓１０が圧入固着される。また、軸筒８内部には、水吸収体９が収容される。  
【００４５】
ペン先３は、合成樹脂繊維の樹脂加工体（例えばアクリル繊維の棒状の樹脂加工体であって、前端を尖頭状またはドーム状に研削加工したもの）が採用される。また、ペン先３は、毛筆体（例えば、繊維の収束体）であってもよい。また、水吸収体９は、繊維束加工体（例えば、ポリエステル繊維束等の合成樹脂繊維束の外周面を、合成樹脂フィルムで被覆したもの）が採用される。  
【００４６】
軸筒８内部の前部には、軸方向に延びる複数本（具体的には４本）の縦リブ８１が一体に設けられる。縦リブ８１により、軸筒８内部に収容された水吸収体９の前部外周面が径方向内方に圧接保持される。また、縦リブ８１の径方向に水吸収体９を圧接保持する箇所よりも前方には、段部８２が形成され、段部８２により水吸収体９の前端が軸方向に当接支持される。  
【００４７】
尾栓１０は、合成樹脂（例えばポリエチレン等）の射出成形により得られる円筒体である。尾栓１０は、水吸収体９の後端と軸方向に当接する。尾栓１０は軸筒８後端開口部内面に圧入固着される。尾栓１０の前端部は水吸収体９の後端が軸方向に当接支持される。尾栓１０の軸心には、水吸収体９と外気とを連通する空気導入孔１０ａが軸方向に貫設される。  
【００４８】
ペン先保持部材７は、合成樹脂（例えばポリアセタール等）の射出成形により得られる筒状体である。ペン先保持部材７内部にはペン先取付孔が貫設され、ペン先取付孔には、ペン先３が圧入保持される。また、ペン先保持部材７の外面は、軸筒８の前端開口部内面に圧入固着される。また、ペン先保持部材７の外面には、軸方向の２本の縦溝が対向位置に設けられ、それにより、軸筒８の前端開口部内面に圧入固着された後、軸筒８の前端開口部内面とペン先保持部材７外面との間に空気導入孔２１を形成することができる。空気導入孔２１を介して外気を本体２内部に取り込むことが可能である。ペン先側の空気導入孔２１は、本体２の軸心から径方向に離れた位置に開口される。
【００４９】
・キャップ
軸筒８のペン先側の外面には、縮径部８３が形成され、該縮径部８３にキャップ６が着脱自在に装着される。
【００５０】
キャップ６は、後端が開口された円筒状の有底筒体であり、合成樹脂の成形体により得られる。キャップ６は、前端に形成された円板状の頂壁と、該頂壁より後方に一体に連接される円筒状の側壁とを備える。キャップ６の頂壁には、軸方向に通気孔６１が貫設される。通気孔６１はキャップ６の頂壁の軸心に形成される。キャップ６の頂壁の内面には、通気孔６１を包囲するように円筒状の突出壁部６２が形成される。突出壁部６２は、キャップ６の頂壁内面より軸方向に後方に突出される。突出壁部６２は、ペン先側から水が滴下しキャップ６内面に水が付着したとしも、その水が通気孔６１から漏出されることを阻止する漏出阻止部となる。キャップ６は、ペン先３を保護するものであり、ペン先３の汚れや損傷を防ぐ。
【００５１】
キャップ６を本体２のペン先側の外面（即ち軸筒８の縮径部８３外面）に装着した際、キャップ６内面と縮径部８３外面とが環状に密接嵌合される。それにより、キャップ６内面に付着した水が、縮径部８３外面とキャップ６内面との間から外部に漏出することを回避できる。
【００５２】
・使用時
本実施の形態の水変色体用水付着具１は、使用する際、容器５内部にペン先側の空気導入孔２１または尾栓１０の空気導入孔１０ａより水を補給し水吸収体９に含浸させた後、ペン先３より吐出される水により筆記使用することができる。本実施の形態の水変色体用水付着具１は、使用後は、キャップ６を本体２のペン先側外面（縮径部８３外面）に装着した状態にして保管する。また、本実施の形態の水変色体用水付着具１は、キャップ６を本体２のペン先側外面（縮径部８３外面）に装着した状態で携帯することができる。
【００５３】
本実施の形態の水変色体用水付着具１は、本体２のペン先側外面にキャップ６が着脱自在に設けられ、キャップ６が、キャップ６内部と外気とを連通させるペン先乾燥促進用の通気孔６１を備えることにより、使用後にキャップ６をペン先側に装着した状態で保管したとしても、通気孔６１を介してキャップ６内部と外気とが連通されるため、ペン先３の水分が蒸発してペン先３が乾燥状態に維持され、その結果、ペン先３にカビが発生することを防止し、ペン先３の良好な衛生状態が維持できる。
【００５４】
本実施の形態の水変色体用水付着具１は、キャップ６の通気孔６１近傍の内面に、ペン先側より滴下する水が外部に漏出することを阻止する漏出阻止部が設けられることにより、もし、キャップ６をペン先側に装着した状態で水付着具を携帯した際に大きな衝撃や振動を受けた場合、キャップ６内部にペン先側より水が滴下し、その滴下した水がキャップ６内面に付着したとしても、漏出阻止部により、前記滴下した水が通気孔６１からキャップ６外部に漏出することを回避でき、さらに、キャップ６内面に付着した水が通気孔６１を介して迅速に蒸発されて消失されるため、キャップ６を本体２から取り外した際にキャップ６内面に付着した水が外部に漏出するおそれがない。
【００５５】
本実施の形態の水変色体用水付着具１は、漏出阻止部が、通気孔６１を包囲するようにキャップ６の内面に突出形成された突出壁部６２よりなることにより、ペン先側から滴下した水がキャップ６内面に付着したとしても、突出壁部６２により、キャップ６内面に付着した水がキャップ６内面を通気孔６１の方向に流れても通気孔６１まで水が流出することが阻止され、通気孔６１からキャップ６外部に水が漏出することを確実に回避できる。
【００５６】
本実施の形態の水変色体用水付着具１は、キャップ６を本体２のペン先側に装着した状態において、空気導入孔２１の軸方向の仮想延長線上に常にキャップ６の頂壁が存在し通気孔６１が存在しないことにより、もし、キャップ６をペン先側に装着した状態で大きな衝撃や振動が加わった場合に、キャップ６内部に本体２内部の水がペン先側の空気導入孔２１より漏出したとしても、その漏出した水がキャップ６内面に付着し、通気孔６１から直接外部に漏出することを回避できる。
【００５７】
本実施の形態は、これ以外にも、第２の実施の形態のキャップ、第３の実施の形態のキャップまたは第４の実施の形態のキャップを採用することもできる。第２の実施の形態のキャップ、第３の実施の形態のキャップまたは第４の実施の形態のキャップを採用した場合、第２の実施の形態、第３の実施の形態または第４の実施の形態に記載した作用効果を奏する。
【００５８】
＜第６の実施の形態＞
本開示の第６の実施の形態を図１５及び図１６に示す。
本実施の形態は、第１乃至第５の実施の形態の何れかの水変色体用水付着具１と、水変色体１１とからなる水変色体セットである。本実施の形態で採用された水変色体用水付着具１の構成及び作用効果は、第１乃至第５の実施の形態と共通のため説明を省略する。
【００５９】
水変色体１１は、水変色体用水付着具１の水吐出部３で筆記または水吐出部３が接触することにより水が付着した上層の箇所のみが透明化して下層の着色層の色が現出され、水分蒸発により元の状態に戻るものである。具体的には、水変色体１１は、主に、多孔質層１１ｂと、多孔質層１１ｂが内面に形成された板状またはシート状の基材１１ａとからなる。基材１１ａは長方形形状を有し、基材１１ａの長辺を２等分する中心線を挟んで２箇所に多孔質層１１ｂが形成される。基材１１ａはその中心線を介して二つ折りに開閉自在に重ね合わせ可能である。基材１１ａの長手方向の両端部にはＵ字状に帯状の取っ手１１ｃが形成され、携帯時に取っ手１１ｃを把持することができる。
【００６０】
基材１１ａの外面には、保持部１１ｄが形成され、携帯時または非使用時、保持部１１ｄで水変色体用水付着具１を保持することができる。保持部１１ｄは、例えば、筒状、ポケット状に形成される。
【００６１】
基材１１ａの長手方向の一端部には、折り畳んで重ね合わせた基材１１ａが開かないように係止するための係止部１１ｅが形成される。係止部１１ｅは、基材１１ａの他端部の被係止部と係止可能である。係止部１１ｅと被係止部の係止手段としては、例えば、面ファスナー、ボタンとボタン孔となるもの、凸部と凹部とからなるもの等が挙げられる。
【００６２】
本実施の形態の水変色体セットは、前記構成により、キャップ装着状態で水付着具を保管したとしても、ペン先３（水吐出部）にカビが発生することを抑え、ペン先３（水吐出部）の良好な衛生状態を維持でき、且つ、携帯時に水が外部に漏出することを防止できる。
【００６３】
本願の第１の開示は、本体２の前端に多孔質体または毛筆体よりなる水吐出部３を備えた水変色体用水付着具であって、前記本体２の水吐出部側外面にキャップ６が着脱自在に設けられ、前記キャップ６が、前記キャップ６内部と外気とを連通させる水吐出部乾燥促進用の通気孔６１を備えることを要件とする。
【００６４】
前記第１の開示の水変色体用水付着具１は、本体２の水吐出部側外面にキャップ６が着脱自在に設けられ、キャップ６が、キャップ６内部と外気とを連通させる水吐出部乾燥促進用の通気孔６１を備えることにより、使用後にキャップ６を水吐出部側に装着した状態で保管したとしても、通気孔６１を介してキャップ６内部と外気とが連通されるため、水吐出部３の水分が蒸発して水吐出部３が乾燥状態に維持され、その結果、水吐出部３にカビが発生することを防止し、水吐出部３の良好な衛生状態が維持できる。なお、前記通気孔６１は、キャップ６の壁部の任意の位置に形成され、例えば、キャップ６の頂壁に軸方向に貫設される構成、キャップ６の側壁に径方向に貫設される構成が挙げられる。前記通気孔６１の個数は、単一または複数の何れであってもよい。前記通気孔６の開口部の形状は、円、楕円、多角形、スリット形状等が挙げられる。なお、前記本体２は、本体２内に水を収容して本体２内の水を水吐出部３に供給するタイプ、または、本体２内に水を収容せず外部より水吐出部３に補給した水を水吐出部３に含浸させるタイプが挙げられる。前記水吐出部３を構成する多孔質体は、例えば、繊維の樹脂加工体、繊維束の熱融着多孔体、フェルト加工体、合成樹脂の連続気孔発泡体が挙げられ、前記水吐出部３を構成する毛筆体は、例えば、繊維（例えば、合成繊維、天然繊維、獣毛等）の収束体が挙げられる。なお、本開示の水変色体用水付着具は、例えば、多孔質体または毛筆体からなる水吐出部（ペン先）を備える筆記具、多孔質体または毛筆体からなる水吐出部（ペン先）を備える塗布具、及び多孔質体からなる水吐出部（印面）を備えるスタンプ具が挙げられる。
【００６５】
本願の第２の開示は、前記第１の開示の水変色体用水付着具において、前記キャップ６の通気孔６１の内面または通気孔６１近傍の内面に、水吐出部側より滴下する水が外部に漏出することを阻止する漏出阻止部が設けられることを要件とする。
【００６６】
前記第２の開示の水変色体用水付着具１は、キャップ６の通気孔６１の内面または通気孔６１近傍の内面に、水吐出部側より滴下する水が外部に漏出することを阻止する漏出阻止部が設けられることにより、もし、キャップ６を水吐出部側に装着した状態で水付着具を携帯した際に大きな衝撃や振動を受けた場合、水吐出部側より水がキャップ６内部に滴下し、その滴下した水がキャップ６内面に付着したとしても、漏出阻止部により、前記滴下した水が通気孔６１からキャップ６外部に漏出することを回避でき、さらに、キャップ６内面に付着した水が通気孔６１を介して迅速に蒸発されて消失されるため、キャップ６を本体２から取り外した際にキャップ６内面に付着した水が外部に漏出するおそれがない。なお、漏出阻止部は、キャップ６内面に付着した水が通気孔６１を介して外部に漏出することを阻止するものであればよく、例えば、突出部、溝部または凹凸部等による障壁機能を有するもの、毛細管力を備えた毛細間隙による吸液機能を有するもの等が挙げられる。
【００６７】
本願の第３の開示は、前記第２の開示の水変色体用水付着具において、前記漏出阻止部が、前記通気孔６１を包囲するように前記キャップ６の内面に突出形成された突出壁部６２よりなることを要件とする。
【００６８】
前記第３の開示の水変色体用水付着具１は、前記漏出阻止部が、前記通気孔６１を包囲するように前記キャップ６の内面に突出形成された突出壁部６２よりなることにより、水吐出部側から滴下した水がキャップ６内面に付着し、キャップ６内面に付着した水がキャップ６内面を通気孔６１の方向に流れたとしても、突出壁部６２が障壁となり、通気孔６１まで水が流出することを阻止でき、通気孔６１からキャップ６外部に水が漏出することを確実に回避できる。なお、前記突出壁部６２は、通気孔６１を包囲するように形成されればよく、例えば、横断面環状の筒状突出部、一部に切欠を有する横断面Ｃ字状の筒状突出部、または複数の分散状突出部等が挙げられる。
【００６９】
本願の第４の開示は、前記第２の開示の水変色体用水付着具において、前記漏出阻止部が、前記通気孔６１を包囲または塞ぐように前記キャップ６の内面に配置された吸液部材６３よりなることを要件とする。
【００７０】
前記第４の開示の水変色体用水付着具１は、前記漏出阻止部が、前記通気孔６１を包囲または塞ぐように前記キャップ６の内面に配置された吸液部材６３よりなることにより、水吐出部側から滴下した水がキャップ６内面に付着し、キャップ６内面に付着した水がキャップ６内面を通気孔６１の方向に流れたとしても、その水が吸液部材６３で保持され、通気孔６１からキャップ６外部に水が漏出することを確実に回避できる。前記吸液部材６３は、水が保持可能な毛細間隙を有する部材であればよく、例えば、繊維加工体、連続気孔発泡体またはメッシュ材料等の多孔質材料が挙げられる。また、前記吸液部材６３は、前記通気孔６１を包囲するようキャップ６の内面に配置され、且つ、前記通気孔６１を塞ぐようにキャップ６の内面に配置される構成でもよい。
【００７１】
本願の第５の開示は、前記第２の開示の水変色体用水付着具において、前記漏出阻止部が、前記通気孔６１を包囲するように前記キャップ６の内面に突出形成された突出壁部６２と、前記突出壁部６２を包囲または前記通気孔６１を塞ぐように前記キャップ６の内面に配置された吸液部材６３とからなることを要件とする。
【００７２】
前記第５の開示の水変色体用水付着具１は、前記漏出阻止部が、前記通気孔６１を包囲するように前記キャップ６の内面に突出形成された突出壁部６２と、前記突出壁部６２を包囲または前記通気孔６１を塞ぐように前記キャップ６の内面に配置された吸液部材６３とからなることにより、水吐出部側から滴下した水がキャップ６内面に付着し、キャップ６内面に付着した水がキャップ６内面を通気孔６１の方向に流れたとしても、突出壁部６２が障壁となり、通気孔６１まで水が流出することを阻止でき、且つ、水が吸液部材６３で保持されるため、通気孔６１に水が流出することが阻止され、通気孔６１からキャップ６外部に水が漏出することを確実に回避できる。
【００７３】
なお、前記突出壁部６２は、通気孔６１を包囲するように形成されればよく、例えば、横断面環状の筒状突出部、一部に切欠を有する横断面Ｃ字状の筒状突出部、または複数の分散状突出部等が挙げられる。前記吸液部材６３は、水が保持可能な毛細間隙を有する部材であればよく、例えば、繊維加工体、連続気孔発泡体またはメッシュ材料等の多孔質材料が挙げられる。また、前記吸液部材６３は、前記通気孔６１を包囲するようキャップ６の内面に配置され、且つ、前記通気孔６１を塞ぐようにキャップ６の内面に配置される構成でもよい。
【００７４】
本願の第６の開示は、前記第２の開示の水変色体用水付着具において、前記漏出阻止部が、前記キャップ６の通気孔６１の内面または通気孔６１近傍の内面に一体に形成される毛細管力を有する間隙部６４よりなることを要件とする。
【００７５】
前記第６の開示の水変色体用水付着具１は、前記漏出阻止部が、前記キャップ６の通気孔６１の内面または通気孔６１近傍の内面に一体に形成される毛細管力を有する間隙部６４よりなることにより、水吐出部側から滴下した水がキャップ６内面に付着し、キャップ６内面に付着した水がキャップ６内面を通気孔６１の方向に流れたとしても、その水が間隙部６４で保持され、通気孔６１からキャップ６外部に水が漏出することを確実に回避できる。前記毛細管力を有する間隙部６４は、水が保持可能な毛細間隙であり、例えば、孔、溝、スリットが挙げられる。間隙部６４は、少なくともキャップ６内面に開口する構成であり、さらに、キャップ６外面に開口される構成（即ちキャップ内部と外部との間を貫通される構成）でもよい。また、通気孔６１自体が毛細管力を有する間隙部６４である構成でもよい。
【００７６】
本願の第７の開示は、前記第１乃至第６の開示の水変色体用水付着具において、前記本体２内部に水が収容可能に構成され、前記水吐出部３より前記本体２内部の水が吐出可能に構成され、前記本体２の水吐出部側に、水吐出部３からの水の吐出に応じて本体２内部に空気を取り込むための空気導入孔２１が形成され、前記キャップ６を前記本体２の水吐出部側に装着した状態において、前記空気導入孔２１の軸方向の仮想延長線上に前記通気孔６１が存在しないことを要件とする。
【００７７】
前記第７の開示の水変色体用水付着具１は、前記キャップ６を前記本体２の水吐出部側に装着した状態において、前記空気導入孔２１の軸方向の仮想延長線上に前記通気孔６１が存在しないことにより、もし、キャップ６を水吐出部側に装着した状態で大きな衝撃や振動が加わった場合に、本体２内部の水が水吐出部側の空気導入孔２１よりキャップ６内部に漏出したとしても、その漏出した水がキャップ６内面に付着し、通気孔６１から直接外部に漏出することを回避できる。
【００７８】
本願の第８の開示の水変色体セットは、前記第１乃至第７の何れかの開示の水変色体用水付着具１と、前記水変色体用水付着具１の水吐出部３が接触することにより水が付着した上層の箇所のみが透明化して下層の着色層の色が現出され、水分蒸発により元の状態に戻る水変色体１１とからなることを要件とする。
【００７９】
前記第８の開示の水変色体セットは、前記構成により、キャップ装着状態で水変色体用水付着具１を保管したとしても、水吐出部３にカビが発生することが抑えられ、水吐出部３の良好な衛生状態を維持でき、また、携帯時に水が外部に漏出することを防止できる。
【００８０】
前記水変色体は、低屈折率顔料をバインダー樹脂に分散状態に固着させた、吸液状態と非吸液状態で透明性を異にする多孔質層を備える。
【００８１】
前記水変色体の基材は、樹脂、布帛、皮革、合皮等、特に問わず使用できるが、柔軟性に富み手触りがよいことから、表面に布帛やポリウレタン樹脂等の軟質樹脂を用いたり、内部に発泡体等を収容した構成とすることが好ましい。
【００８２】
前記多孔質層は、低屈折率顔料をバインダー樹脂と共に分散状態に固着させた層であり、筆記面を形成するものである。
前記低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、液状組成物を吸液すると良好な透明性を示すものである。
なお、前記珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
前記低屈折率顔料の粒径は特に限定されるものではないが、０．０３〜１０．０μｍのものが好適に用いられる。
又、前記低屈折率顔料は二種以上を併用することもできる。
尚、好適に用いられる低屈折率顔料としては珪酸が挙げられる。
前記珪酸は、乾式法により製造させる珪酸であってもよいが、湿式法により製造される珪酸（以下、湿式法珪酸と称する）が特に効果的であり、実用性を満たす。
この点を以下に説明する。
珪酸は非晶質の無定形珪酸として製造され、その製造方法により、四塩化ケイ素等のハロゲン化ケイ素の熱分解等の気相反応を用いる乾式法によるもの（以下、乾式法珪酸と称する）と、ケイ酸ナトリウム等の酸による分解等の液相反応を用いる湿式法によるものとに大別されるが、本開示の意図する多孔質層として機能させるためには、湿式法珪酸が最適である。
これは、乾式法珪酸と湿式法珪酸とでは構造が異なり、前記乾式法珪酸は珪酸が密に結合した三次元構造を形成するのに対して、湿式法珪酸は、珪酸が縮合して長い分子配列を形成した、所謂、二次元構造部分を有している。
従って、前記乾式法珪酸と比較して分子構造が粗になるため、湿式法珪酸を多孔質層に適用した場合、乾式法珪酸を用いる系と比較して乾燥状態における光の乱反射性に優れ、よって、常態での隠蔽性が大きくなるものと推察される。
又、前記本開示の多孔質層においては、水を吸液させるものであるから、湿式法珪酸は乾式法珪酸に比べて粒子表面にシラノール基として存在する水酸基が多く、親水性の度合いが大であり、好適に用いられる。
尚、前記多孔質層の常態での隠蔽性と吸液状態での透明性を調整するために、湿式法珪酸と共に、他の汎用の低屈折率顔料を併用することもできる。
【００８３】
前記多孔質層中の湿式法珪酸は、粒子径、比表面積、吸油量等の性状に左右されるが、常態での隠蔽性と吸液状態での透明性を共に満足するためには、塗布量が１ｇ／ｍ２〜３０ｇ／ｍ２であることが好ましく、より好ましくは、５ｇ／ｍ２〜２０ｇ／ｍ２である。１ｇ／ｍ２未満では、常態で十分な隠蔽性を得ることが困難であり、又、３０ｇ／ｍ２を越えると吸液時に十分な透明性を得ることが困難である。
前記珪酸の粒径は特に限定されるものではないが、０．０３〜１０．０μｍのものが好適に用いられる。
前記珪酸はバインダー樹脂を結合剤として含むビヒクル中に分散され、基材に塗布した後、揮発分を乾燥させて多孔質層を形成する。
前記バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。
前記珪酸とこれらのバインダー樹脂の混合比率は、珪酸の種類及び性状に左右されるが、好ましくは、珪酸１重量部に対してバインダー樹脂固形分０．５〜２重量部であり、より好ましくは、０．８〜１．５重量部である。珪酸１重量部に対してバインダー樹脂固形分が０．５重量部未満の場合には、前記多孔質層の実用的な皮膜強度を得ることが困難であり、２重量部を越える場合には、前記多孔質層内部への水の浸透性が悪くなる。
前記多孔質層は、従来より公知の一般的な塗膜と比較して着色剤に対するバインダー樹脂の混合比率が小さいため、十分な皮膜強度が得られ難い。そこで、耐擦過強度を高めるために、前記のバインダー樹脂のうち、ナイロン樹脂又はウレタン系樹脂を用いると効果的である。
前記ウレタン系樹脂としては、ポリエステル系ウレタン樹脂、ポリカーボネート系ウレタン樹脂、ポリエーテル系ウレタン樹脂等があり、二種以上を併用することもできる。又、前記樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。
尚、前記ウレタン系樹脂は水性ウレタン系樹脂又は油性ウレタン系樹脂のいずれを用いることもできるが、本開示においては水性ウレタン系樹脂、殊に、ウレタン系エマルジョン樹脂やコロイド分散型ウレタン系樹脂が好適に用いられる。
前記ウレタン系樹脂は単独で用いることもできるが、支持体の種類や皮膜に必要とされる性能に応じて、他のバインダー樹脂を併用することもできる。ウレタン系樹脂以外のバインダー樹脂を併用する場合、実用的な皮膜強度を得るためには、前記多孔質層のバイン
ダー樹脂中にウレタン系樹脂を固形分重量比率で３０％以上含有させることが好ましい。
前記バインダー樹脂において、架橋性のものは任意の架橋剤を添加して架橋させることにより、さらに皮膜強度を向上させることができる。
前記バインダー樹脂には、水との親和性に大小が存在するが、これらを組み合わせることにより、多孔質層中への浸透時間、浸透度合い、浸透後の乾燥の遅速を調整することができる。更には、適宜分散剤や界面活性剤を添加して前記調整をコントロールすることができる。
【００８４】
なお、前記多孔質層中には、従来より公知の二酸化チタン被覆雲母、酸化鉄−二酸化チタン被覆雲母、酸化鉄被覆雲母、グアニン、絹雲母、塩基性炭酸鉛、酸性砒酸鉛、オキシ塩化ビスマス等の金属光沢顔料を添加したり、一般染料や顔料、蛍光染料や蛍光顔料を混在させて色変化を多様化させることができる。
又、温度変化により可逆的に色変化する、従来より公知の可逆熱変色顔料を混在させて、環境温度や付着させる水温により色変化させることができる。
更には、前記多孔質層の上層、下層、及び／又は近傍には着色層を配設して様相変化を更に多様化させることができる。
前記多孔質層及び着色層は、ベタ印刷状のものに限らず、文字、記号、図柄等の像（着色像）であってもよい。
前記多孔質層及び着色層は、従来より公知の手段、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により形成できる。
【００８５】
特に、多孔質層上に着色像を形成する場合、ひらがなやアルファベット等を抜き文字で形成したり、時計の外観像を形成することにより、なぞり書きや時間の記入が可能な学習教材としての要素を加飾効果以外に付与でき、より有用なものとなる。
【００８６】
また、前記多孔質層の下層には、非浸水性フィルムや接着剤からなる防水層を介在することもできる。これにより多孔質層の下層に液体が侵入することを抑制できる。前記防水層は透明のものに限らず、着色したものを用いることもできる。
更に、前記防水層を硬質材料により形成することにより、筆記面（多孔質層）に対して下敷きとして機能させることができるので、基材が軟質な材質で構成されていても適度な硬度を備えた筆記面が得られ、しっかりとした筆跡を形成することが可能となる。
【００８７】
本開示の水変色体用水付着具は、使用後にキャップ装着状態で保管したとしても、水吐出部にカビが発生することを抑え、水吐出部の良好な衛生状態が維持できる。
本開示の水変色体セットは、使用後にキャップ装着状態で水変色体用水付着具を保管したとしても、水吐出部にカビが発生することを抑え、水吐出部の良好な衛生状態を維持できる。
【符号の説明】
【００８８】
１  水変色体用水付着具
２  本体
２１  空気導入孔
３  ペン先（水吐出部）
４  ホルダー
４１  外筒
４１ａ  雌ネジ部
４１ｂ  環状段部
４１ｃ  保持リブ
４２  内筒
４２ａ  リブ
４２ｂ  連通孔
４２ｃ  ストッパ用リブ
５  容器
５１  注入孔
５２  縮径部
５３  雄ネジ部
５４  肩部
６  キャップ
６１  通気孔
６２  突出壁部（漏出阻止部）
６３  吸液部材（漏出阻止部）
６４  間隙部（漏出阻止部）
７  ペン先保持部材
８  軸筒
８１  縦リブ
８２  段部
８３  縮径部
９  水吸収体
１０  尾栓
１０ａ  空気導入孔
１１ 水変色体
１１ａ  基材
１１ｂ  多孔質層
１１ｃ  取っ手
１１ｄ  保持部
１１ｅ  係止部
１２  水
【図１】
2019230623.tif 000003
【図２】
2019230623.tif 000004
【図３】
2019230623.tif 000005
【図４】
2019230623.tif 000006
【図５】
2019230623.tif 000007
【図６】
2019230623.tif 000008
【図７】
2019230623.tif 000009
【図８】
2019230623.tif 000010
【図９】
2019230623.tif 000011
【図１０】
2019230623.tif 000012
【図１１】
2019230623.tif 000013
【図１２】
2019230623.tif 000014
【図１３】
2019230623.tif 000015
【図１４】
2019230623.tif 000016
【図１５】
2019230623.tif 000017
【図１６】
2019230623.tif 000018
【国際調査報告】
2019230623.tif 000019
2019230623.tif 000020
2019230623.tif 000021
2019230623.tif 000022